(57)【特許請求の範囲】
【請求項１】
挿入されたケーブルの端子面と接触させる導電板が形成された平坦部と、前記ケーブルの先端部が突き当たるブロック部とが設けられ、前記ケーブルを挿入する際に、前記ブロック部が前記ケーブルの先端部で押されることにより移動可能なケーブル固定台と、
前記ケーブルの挿入が完了する所定の位置で、前記ケーブル固定台に設けられた段差部に掛かるラッチ部と、
挿入された前記ケーブルを前記ケーブル固定台に押圧するケーブル固定具と、を有し、
前記ケーブル固定台が前記ケーブルを挿入する方向に移動するのに伴い、前記ケーブル固定具が、前記ケーブルの前記端子面が前記導電板と接触している部分を押圧するロック機構を有し、
前記ケーブル固定具は、弾性的に前記ケーブルを押圧し、
前記ケーブル固定台を、前記ケーブルを抜く方向に移動させる動作を行うロック解除機構を有し、
前記ケーブルを抜く方向とは異なる方向に、前記ケーブルを動かすことにより、前記ロック解除機構の動作をさせることができる操作手段を有することを特徴とするケーブル用コネクタ。
【請求項２】
前記操作手段を固定する手段を有する、請求項１に記載のケーブル用コネクタ。
【請求項３】
前記ロック機構には、梃子を適用したことを特徴とした、請求項１乃至２のいずれかに記載のケーブル用コネクタ。
【請求項４】
前記ロック解除機構には、梃子を適用したことを特徴とした、請求項１乃至３のいずれかに記載のケーブル用コネクタ。
【請求項５】
天井面と底面との間において、前記ケーブル固定台が摺動することにより移動できるレールを有することを特徴とした、請求項１乃至４のいずれかに記載のケーブル用コネクタ。
【発明の詳細な説明】
【技術分野】
【０００１】
本発明はケーブル用コネクタに関し、特に小さな電子機器に使用される、フレキシブルケーブルの装着を確実かつ容易に行うことのできるコネクタに関する。
【背景技術】
【０００２】
電子機器中の可動部品への配線や、立体的な配線が必要な箇所には、変形可能な配線部品としてフラットケーブルが使用される。また小型軽量化を必要とする機器においてはフレキシブルケーブルが使用され、特に近年では、折りたたみ型携帯電子機器の筐体間を繋ぐ配線など、量産規模の大きい小型精密電子機器への適用が進んでいる。
【０００３】
フレキシブルケーブルは、薄膜上にプリント配線を施し、端部に接続用端子を形成したケーブルであり、一般的にサイズが小さい電子部品に使用されるために、取り扱い上、作業性が問題になる。特に、ケーブルが柔らかいために、電子機器への電気的接続のためケーブルをコネクタに挿入し固定する際に、所定位置までケーブルが挿入されているかどうか分かりにくいことが作業性低下の要因となることが多い。
【０００４】
上記のような、フレキシブルケーブルをコネクタに装着する際の作業性の問題を改善する技術としては、例えば次のようなものがある。まず特開平１０−２１４６５９号公報（以下、「特許文献１」という）には、コネクタのハウジングに目視用の窓を設け、目視によりケーブルの挿入位置を確認できるようにした技術が開示されている。また特開平１１−１３５２０３号公報（以下、「特許文献２」という）には、装着用部品をケーブルの端子に装着した後、端子が装着された装着用部品をコネクタのハウジングに固定することにより、コネクタへの装着を容易にする技術が開示されている。また特開２００９−２８８５２３号公報（以下、「特許文献３」という）には、フレキシブルケーブルの端子部分に硬質な補強部材を装着することにより、コネクタへの正確な挿入を容易にする技術が開示されている。
【先行技術文献】
【特許文献】
【０００５】
【特許文献１】特開平１０−２１４６５９号公報
【特許文献２】特開平１１−１３５２０３号公報
【特許文献３】特開２００９−２８８５２３号公報
【発明の概要】
【発明が解決しようとする課題】
【０００６】
しかしながら、上述した技術はそれぞれ次のような問題がある。まず特許文献１に記載の技術については、目視によりケーブルの挿入位置を確認できるものの、部品のサイズが小さくなれば目視は困難となり、また部品の構造によって目視しにくい位置にコネクタがある場合には適用ができない。さらに量産規模が大きい場合などには、目視のみで、ケーブルが確実に固定できる位置まで挿入されたか否かを確認しながら作業することは、作業の確実性および効率の点からも十分ではない。また特許文献２および３に記載の技術は、柔らかいケーブルの端子部分を補強用部材で固定することによりコネクタへの確実な装着を容易にすることができる。しかしながらケーブル補強用の部品のコストや、当該部品にケーブルを固定する手間が余分にかかることが、全体的な生産効率、作業効率の向上を妨げることになる。
【０００７】
本発明の目的は、上記の問題を解決し、フレキシブルケーブルの装着操作を、コストを上昇させることなく、高い作業効率で、目視によらず確実に行うことのできるコネクタを提供することである。
【課題を解決するための手段】
【０００８】
本発明のケーブル用コネクタは、挿入されたケーブルの端子面と接触させる導電板が形成された平坦部と、前記ケーブルの先端部が突き当たるブロック部とが設けられ、前記ケーブルを挿入する際に、前記ブロック部が前記ケーブルの先端部で押されることにより移動可能なケーブル固定台と、前記ケーブルの挿入が完了する所定の位置で、前記ケーブル固定台に設けられた段差部に掛かるラッチ部と、挿入された前記ケーブルを前記ケーブル固定台に押圧するケーブル固定具と、を有し、前記ケーブル固定台が前記ケーブルを挿入する方向に移動するのに伴い、前記ケーブル固定具が、前記ケーブルの前記端子面が前記導電板と接触している部分を押圧するロック機構を有し、前記ケーブル固定具は、弾性的に前記ケーブルを押圧し、前記ケーブル固定台を、前記ケーブルを抜く方向に移動させる動作を行うロック解除機構を有し、前記ケーブルを抜く方向とは異なる方向に、前記ケーブルを動かすことにより、前記ロック解除機構の動作をさせることができる操作手段と、を有することを特徴としている。
【発明の効果】
【０００９】
本発明によれば、コネクタへのフレキシブルケーブルの装着操作を、コストを上昇させることなく、高い作業効率で、目視によらず確実に行うことができる。
【図面の簡単な説明】
【００１０】
【図１】本発明の第１の実施の形態のコネクタの構成を示す断面図である。
【図２】本発明の第２の実施の形態のコネクタの構成を示す断面図である。
【図３】本発明の第３の実施の形態のコネクタの構成を示す断面図である。
【図４】本発明の第４の実施の形態のコネクタの構成を示す断面図である。
【図５】本発明の第５の実施の形態のコネクタの構成を示す模式図である。
【発明を実施するための形態】
【００１１】
次に本発明の実施の形態について、図面を参照して説明する。
（第１の実施の形態）
図１は、本発明の第１の実施の形態のコネクタの構成を示す断面図である。このコネクタ１に備えられたケーブル固定台２は、挿入されたケーブル３の端子面４と接触させる導電板５が形成された平坦部６と、ケーブル３の先端部が突き当たるブロック部７とが設けられている。このケーブル固定台２は、ケーブル３を挿入する際に、段差部７がケーブル３の先端部で押されることにより移動する。ラッチ部９は、ケーブル３の挿入が完了する所定の位置で、ケーブル固定台２に設けられた段差部１０に掛かる。ケーブル固定具８は挿入されたケーブル３をケーブル固定台２に押圧する。
【００１２】
以上のようにコネクタを構成することにより、作業者はケーブル３を挿入していくだけで、段差部１０にラッチ部９が掛かったときの手応えやクリック音により、ケーブル３が固定される所定の位置に達したことを認識することができる。このため、ケーブル３が柔らかいフレキシブルケーブルの場合であっても、ケーブルが所定の位置まで挿入されたのを確認したうえで、ケーブルの固定を行うことができる。このようにこの実施の形態では、コネクタへのフレキシブルケーブルの装着操作を、コストを上昇させることなく、高い作業効率で、目視によらず確実に行うことができる。
（第２の実施の形態）
図２は、本発明の第２の実施の形態のコネクタの構成を示す断面図で、図１と共通する部分は同じ番号を付している。図２において、ロック機構１１は、ケーブル固定台２がケーブル３を挿入する方向に移動するのに伴い、ケーブル固定具８が、ケーブル３をケーブル固定台２に押圧し、端子面４と導電板５とを導通する。なお導電板５は図示しない配線により外部の端子に接続されている。
【００１３】
この第２の実施の形態では、作業者はケーブル３を挿入していくだけで、所定の位置でケーブル３を固定できる。したがって作業者は、ケーブル３が固定される所定の位置に達したことを、段差部１０がラッチ部９を噛むときの手応えやクリック音により認識した時点で、ケーブルの固定も同時に完了するため、作業性は大幅に向上する。
（第３の実施の形態）
図３は、本発明の第３の実施の形態のコネクタの構成を示す断面図で、図１、２と共通する部分は同じ番号を付している。このコネクタ１２に備えられたケーブル固定台１３は、コネクタ１２の天井面と底面との間に設けられたレール１４に沿って、ケーブルの抜き差し方向に移動できる。ここでケーブル固定台１３の導電板５はスルーホール１５を介して裏面導電板１６に接続され、裏面導電板１６はレール１４に設けられた導電端子板１７上を移動する。また図１のブロック部７に相当する部分は、図３に示すような傾斜を有しており、ノッチ状の段差部１８がこの傾斜部分に設けられている。
【００１４】
ロック機構１９は、梃子を適用しており、ケーブル３の挿入に伴いケーブル固定台１３が挿入方向に移動すると、操作部２０の位置が上昇し、ケーブル固定具２１はケーブル３をケーブル固定台１３に押圧する。ここでケーブル固定具２１はケーブル３を弾性的に押圧し、ケーブル３の挿入が進むほど強く押圧することができる。そしてケーブル３が十分な強さでロックされる、ケーブル３の挿入が完了する所定の位置で、操作部２０は段差部１８に掛かる。
【００１５】
またレール１４の下側に設けられた操作レバー２２は、ケーブル固定台１３を、ケーブル３を抜く方向に移動させる動作を行う、梃子を適用したロック解除機構２３を構成する。この操作レバー２２は、図３に示すようにコネクタ１２のケーブル挿入口付近でケーブル３を下方向に動かすことにより操作できる。したがってケーブル脱着操作の際に、ロック解除機構の、一般的に小さな操作部分を直接操作する必要がない。
【００１６】
なお、ロック機構１９およびロック解除機構２３は共に梃子を適用しているため、支点２４および２５を固定する位置によって、ケーブル３を挿入する幅や力および操作レバー２２の操作幅や力に応じた作用量を調整することができる。
【００１７】
この第３の実施の形態では、保持したケーブルを操作するだけでケーブルの固定および開放を確実かつ容易に行うことができる。
（第４の実施の形態）
図４は、本発明の第４の実施の形態のコネクタの構成を示す断面図で、図３と共通する部分は同じ番号を付している。図４に示すコネクタ２６では、図３におけるレール１４がなく、ケーブル固定台１３を、ケーブル３を抜く方向に移動させる動作を行うための操作レバー２７は、支点２８とともに、ケーブル固定台１３の上側にあり、全体に小型化されている。この操作レバー２７は、図４に示すようにコネクタ２６のケーブル挿入口付近でケーブル３を上方向に動かすことにより操作できる。
【００１８】
この第４の実施の形態は、コネクタの用途や使用条件によって、サイズに制限があったり、ケーブルをした方向には動かせないといった場合に適用することができる。
（第５の実施の形態）
図５は、本発明の第５の実施の形態のコネクタを示す模式図である。第５の実施の形態のコネクタは、例えば第３の実施の形態のコネクタ１２と基本的に同様な構造を有し、図５に示すように操作レバー２２の動きを止める固定具２９と、固定具２９を係止する係止部３０とをさらに有している。なお図５においては、ケーブル３は図示していない。
【００１９】
図３に示した第３の実施の形態では、コネクタ１２のケーブル挿入口付近で、ケーブル３が意図しない力により下方向に動かされたときに、ロックが解除されることが起きうる。しかし、ケーブル３を意図的に抜く必要ある時以外は、図５に示すように固定具２９により操作レバー２２を固定しておき、ケーブル３を抜く場合は、固定具２９を係止部３０からはずすことにより、操作レバー２２の操作が可能になる。
【００２０】
以上のように第５の実施の形態では、ケーブルに意図しない力が加わった時にケーブルのロックが外れるといった誤動作を効果的に防止することができる。
【符号の説明】
【００２１】
１    コネクタ
２    ケーブル固定台
３    ケーブル
４    端子面
５    導電板
６    平坦部
７    ブロック部
８    ケーブル固定具
９    ラッチ部
１０    段差部
１１    ロック機構
１２    コネクタ
１３    ケーブル固定台
１４    レール
１５    スルーホール
１６    裏面導電板
１７    導電端子板
１８    段差部
１９    ロック機構
２０    操作部
２１    ケーブル固定具
２２    操作レバー
２３    ロック解除機構
２４    支点
２５    支点
２６    コネクタ
２７    操作レバー
２８    支点
２９    固定具
３０    係止部
【図１】
0005341850.tif 000002
【図２】
0005341850.tif 000003
【図３】
0005341850.tif 000004
【図４】
0005341850.tif 000005
【図５】
0005341850.tif 000006